(57)【要約】  【課題】外出先でも他人の目をあまり気にすることなく適切な授乳ができる授乳用覆い具を提供する。  【解決手段】授乳用覆い具１は、可撓性シートからなる筒状の覆い具本体４を備える。覆い具本体４の上面開口部２の周縁部には環状の上弾性線材６を設け、下面開口部３の周縁部には環状の下弾性線材７を設ける。覆い具本体の上縁部には首掛け部材11を設け、下縁部にはベルト部材12を設ける。  【選択図】図１
0003110144.tif 000002
【実用新案登録請求の範囲】
【請求項１】
授乳の際に胸肌部を覆い隠すための授乳用覆い具であって、
可撓性シートにて形成され、上面開口部および下面開口部を有する筒状の覆い具本体と、
この覆い具本体の前記上面開口部の周縁部に設けられた環状の上弾性線材と、
前記覆い具本体の前記下面開口部の周縁部に設けられた環状の下弾性線材と
を備えることを特徴とする授乳用覆い具。
【請求項２】
覆い具本体に設けられた首掛け部材を備える
ことを特徴とする請求項１記載の授乳用覆い具。
【請求項３】
覆い具本体に設けられたベルト部材を備える
ことを特徴とする請求項１または２記載の授乳用覆い具。
【請求項４】
授乳の際に胸肌部を覆い隠すための授乳用覆い具であって、
可撓性シートにて形成され、上面開口部および下面開口部を有する円筒状の覆い具本体と、
この覆い具本体の前記上面開口部の周縁部に設けられた円形環状の上弾性線材と、
前記覆い具本体の前記下面開口部の周縁部に設けられた円形環状の下弾性線材と、
前記覆い具本体の上縁部内周側に設けられた首掛け部材と、
前記覆い具本体の下縁部内周側に設けられたベルト部材と
を備えることを特徴とする授乳用覆い具。
【考案の詳細な説明】
【技術分野】
【０００１】
本考案は、外出先でも他人の目をあまり気にすることなく適切な授乳を行うことができる授乳用覆い具に関するものである。
【背景技術】
【０００２】
従来、外出先での授乳の際に胸肌部を覆い隠すための授乳用覆い具として、例えば略中央部の貫頭部と乳房を覆う乳覆部とを有するケープ上本体布に貫通孔を設け、この貫通孔をメッシュ生地で被覆したものが知られている（例えば、特許文献１参照）。
【特許文献１】特開２０００−８２０７号公報
【考案の開示】
【考案が解決しようとする課題】
【０００３】
しかしながら、上記従来の授乳用覆い具の場合、ケープ上本体布の貫通孔を被覆したメッシュ生地の隙間から見るのでは、乳児の様子が見ずらく、また乳児からも母親の様子が見ずらいという不具合が生じる。
【０００４】
本考案は、このような点に鑑みなされたもので、乳児の様子が見ずらく、また乳児からも母親の様子が見ずらいという不具合を防止でき、外出先でも他人の目をあまり気にすることなく適切な授乳を行うことができる授乳用覆い具を提供することを目的とする。
【課題を解決するための手段】
【０００５】
請求項１記載の授乳用覆い具は、授乳の際に胸肌部を覆い隠すための授乳用覆い具であって、可撓性シートにて形成され、上面開口部および下面開口部を有する筒状の覆い具本体と、この覆い具本体の前記上面開口部の周縁部に設けられた環状の上弾性線材と、前記覆い具本体の前記下面開口部の周縁部に設けられた環状の下弾性線材とを備えるものである。
【０００６】
そして、乳児の様子が見ずらく、また乳児からも母親の様子が見ずらいという不具合を防止可能であり、外出先でも他人の目をあまり気にすることなく適切な授乳を行うことが可能である。
【０００７】
請求項２記載の授乳用覆い具は、請求項１記載の授乳用覆い具において、覆い具本体に設けられた首掛け部材を備えるものである。
【０００８】
そして、首掛け部材を首に掛けることによって、覆い具本体にて胸肌部を簡単に覆い隠すことが可能である。
【０００９】
請求項３記載の授乳用覆い具は、請求項１または２記載の授乳用覆い具において、覆い具本体に設けられたベルト部材を備えるものである。
【００１０】
そして、ベルト部材を締めることによって、覆い具本体による胸肌部の覆い状態を確実に維持することが可能である。
【００１１】
請求項４記載の授乳用覆い具は、授乳の際に胸肌部を覆い隠すための授乳用覆い具であって、可撓性シートにて形成され、上面開口部および下面開口部を有する円筒状の覆い具本体と、この覆い具本体の前記上面開口部の周縁部に設けられた円形環状の上弾性線材と、前記覆い具本体の前記下面開口部の周縁部に設けられた円形環状の下弾性線材と、前記覆い具本体の上縁部内周側に設けられた首掛け部材と、前記覆い具本体の下縁部内周側に設けられたベルト部材とを備えるものである。
【００１２】
そして、乳児の様子が見ずらく、また乳児からも母親の様子が見ずらいという不具合を防止可能であり、外出先でも他人の目をあまり気にすることなく適切な授乳を行うことが可能であり、また、首掛け部材を首に掛けることによって覆い具本体にて胸肌部を簡単に覆い隠すことが可能であり、さらに、ベルト部材を締めることによって覆い具本体による胸肌部の覆い状態を確実に維持することが可能である。
【考案の効果】
【００１３】
請求項１に係る考案によれば、乳児の様子が見ずらく、また乳児からも母親の様子が見ずらいという不具合を防止でき、外出先でも他人の目をあまり気にすることなく適切な授乳を行うことができる。
【００１４】
請求項２に係る考案によれば、首掛け部材を首に掛けることによって、覆い具本体にて胸肌部を簡単に覆い隠すことができる。
【００１５】
請求項３に係る考案によれば、ベルト部材を締めることによって、覆い具本体による胸肌部の覆い状態を確実に維持することができる。
【００１６】
請求項４に係る考案によれば、乳児の様子が見ずらく、また乳児からも母親の様子が見ずらいという不具合を防止でき、外出先でも他人の目をあまり気にすることなく適切な授乳を行うことができ、また、首掛け部材を首に掛けることによって覆い具本体にて胸肌部を簡単に覆い隠すことができ、さらに、ベルト部材を締めることによって覆い具本体による胸肌部の覆い状態を確実に維持することができる。
【考案を実施するための最良の形態】
【００１７】
本考案の授乳用覆い具の一実施の形態を図面を参照して説明する。
【００１８】
図１および図２において、１は折畳み可能な授乳用覆い具で、この授乳用覆い具１は、母親が外出先等で授乳の際に他人に胸肌部を見られないようその胸肌部を覆い隠すために使用するものである。
【００１９】
授乳用覆い具１は、展開状態で、円形の上面開口部２および円形の下面開口部３を有する円筒状で上下面開口状の覆い具本体４を備えている。覆い具本体４は、例えば布製或いは樹脂製等の可撓性シートにて形成され、その直径寸法は乳児を抱いた母親が内側に入ることができる程度になっている。
【００２０】
また、覆い具本体４の上縁部における上面開口部２の周縁部には円形環状の上弾性線材６がその周縁部に沿って設けられ、覆い具本体４の下縁部における下面開口部３の周縁部には円形環状の下弾性線材７がその周縁部に沿って設けられている。上弾性線材６および下弾性線材７は、十分な弾性を有し弾性復元力により円形環状に復帰するものであればよく、例えばピアノ線が好適である。
【００２１】
さらに、覆い具本体４の上縁部内周側には、母親が自分の首に掛ける略環状の首掛け部材11が設けられている。首掛け部材11は、例えば伸縮するゴム等にて形成されている。
【００２２】
また、覆い具本体４の下縁部内周側には、母親が自分の胴に巻きつけるベルト部材12が設けられている。ベルト部材12は、例えば布製或いは樹脂製等の一対のベルト部13，14を有し、ベルト部13，14の基端が覆い具本体４の下縁部内周面に取り付けられ、ベルト部13，14の先端側には互いに係脱可能に係合する面状ファスナ15，16が貼着されている。
【００２３】
次に、上記授乳用覆い具１の使用方法等を説明する。
【００２４】
図２に示すように、首掛け部材11を首に掛けることにより授乳用覆い具１を肩で受けるようにしてから、面状ファスナ15，16を利用してベルト部材12を胴に対して締める。こうして、母親の上半身全体が覆い具本体４内に位置してその覆い具本体４にて覆い隠された状態となる。その後、母親は、覆い具本体４内において胸肌部を露出して乳首をだし、抱いた乳児に母乳を飲ませる。この際、母親の胸肌部は覆い具本体４にて覆い隠され、胸肌部の露出が防止されるが、覆い具本体４の上面開口部２から乳児の様子をハッキリと見ることが可能である。
【００２５】
このように、上記授乳用覆い具１によれば、乳児の様子が見ずらく、また乳児からも母親の様子が見ずらいという不具合を防止でき、よって外出先でも他人の目をあまり気にすることなく適切な授乳を行うことができ、また、首掛け部材11を首に掛けることによって覆い具本体４にて胸肌部を簡単に覆い隠すことができ、さらに、ベルト部材12を締めることによって覆い具本体４による胸肌部の覆い状態を確実に維持することができる。
【００２６】
しかも、上弾性線材６および下弾性線材７を捻って折るという動作を複数回（例えば２回）行うようにして可撓性シートからなる覆い具本体４を小さな円形環状に折畳むことができ、授乳用覆い具１をコンパクトな折畳状態にできるので、携帯性にも優れている。
【００２７】
なお、覆い具本体４の形状は、円筒状には限定されず、四角筒、六角筒等の角筒状でもよい。
【図面の簡単な説明】
【００２８】
【図１】本考案の授乳用覆い具の一実施の形態を示す一部切欠の斜視図である。
【図２】同上授乳用覆い具の使用状態を示す斜視図である。
【符号の説明】
【００２９】
１    授乳用覆い具
２    上面開口部
３    下面開口部
４    覆い具本体
６    上弾性線材
７    下弾性線材
11    首掛け部材
12    ベルト部材
【図１】
0003110144.tif 000003
【図２】
0003110144.tif 000004